(57)【要約】【課題】排水溝内に澱む水やゴミの堆積により雑菌が繁殖して異臭が発生したり、雑菌の繁殖による衛生上の問題を解消することができる排水溝内の殺菌装置を提供する。【解決手段】排水溝１にグレーチング２を押圧圧電素子を組込んだガタ付き防止用のマット４を介在させて装着し、マット４の排水溝側の側端にＬＥＤよりなる殺菌灯６を取付け、殺菌灯６より排水溝内に紫外線を照射する。グレーチング２にはまた光触媒を付着したプレート４を吊持し、ライトの光を当て、殺菌灯６からの紫外線の照射と、光触媒とにより排水溝内に繁殖する雑菌や微生物を殺菌し、腐敗臭等の異臭やかび等の汚れを除去する。【選択図】図８
2010095917.tif 000002
【特許請求の範囲】
【請求項１】
排水溝にガタ付き防止用のマットを介在させて装着した溝蓋の前記マットに組み付けられるか、或いはマットを構成する圧電素子と、該圧電素子に接続され、排水溝内に紫外線を照射するためのＬＥＤからなる殺菌灯とからなることを特徴とする排水溝内の殺菌装置。
【請求項２】
前記殺菌灯には表面に光触媒を付着させることを特徴とする請求項１記載の排水溝内の殺菌装置。
【請求項３】
前記溝蓋には表面に光触媒を付着させることを特徴とする請求項１又は２記載の排水溝内の殺菌装置。
【請求項４】
排水溝内に殺菌灯からの紫外線が当てられる光触媒機能体が設けられることを特徴とする請求項１〜３のいずれかの請求項に記載の排水溝内の殺菌装置。
【発明の詳細な説明】
【技術分野】
【０００１】
本発明は、グレーチング等の溝蓋（以下、単に溝蓋といい、本明細書において溝蓋とはグレーチングを含むものとする）が装着される道路脇の側溝や道路の横断溝、食品工場や厨房等での床排水設備の排水溝（これら側溝や排水溝を本明細書では単に排水溝という）の溝内を殺菌する殺菌装置に関する。
【背景技術】
【０００２】
溝蓋としてグレーチングを例にとっていえば、グレーチングは、その多くが鋼製で、道路脇の側溝や床排水設備の排水溝に取付けた同じ鋼製の受枠に装着されるが、受枠に隙間なく装着することは困難で、一部が受枠から浮き上がって、その上を車両が走行したり、歩行者が歩行するとき、グレーチングが受枠に当たって、ガタ付き音を生じがちである。ガタ付き防止のためグレーチングと受枠の間に金属材或いはゴムよりなるマットを介装したものも知られる（特許文献１及び２）。
【０００３】
溝蓋が装着される排水溝においては、流れ込んだ水が澱んだり、堆積した有機物が腐敗して異臭を発生させることがあり、食品工場ではとくに床排水設備での雑菌の繁殖は不衛生で、食品の衛生管理上問題である。
【０００４】
雑菌対策としては、紫外線照射や光触媒が有効であることが知られ、これを利用してキッチンの生ゴミ粉砕装置やトイレにＬＥＤからなる殺菌灯を設置して紫外線照射を行ったり、食品工場の床排水構内面に光触媒機能体を付着させて、これに光を照射することにより殺菌を行い、また有機物分解を行って排水溝の汚れを除去することなどが提案されている（特許文献３〜５）。
【特許文献１】特開平８−４９２８６号
【特許文献２】特開２００５−３２０７６８号
【特許文献３】特開２００１−１１２８５５号
【特許文献４】特開２００１−６５０３５号
【特許文献５】特開２００２−５９１７８号
【発明の開示】
【発明が解決しようとする課題】
【０００５】
本発明は、排水溝の雑菌対策として、溝蓋上を車両が走行したり、歩行者が歩行することにより発電して殺菌灯から紫外線照射を行い、これにより排水溝内を殺菌して異臭を除去したり、有機物を分解して排水溝の汚れを除去しようとするもので、そのための殺菌装置を提供することを目的とする。
【課題を解決するための手段】
【０００６】
請求項１に係わる発明は、排水溝にガタ付き防止用のマットを介在させて装着した溝蓋の前記マットに組み付けられるか、或いはマットを構成する圧電素子と、該圧電素子に接続され、排水溝内に紫外線を照射するためのＬＥＤからなる殺菌灯とからなることを特徴とし、
請求項２に係わる発明は、請求項１に係わる発明において、殺菌灯の表面に光触媒を付着させることを特徴とする。
【０００７】
請求項３に係わる発明は、請求項１又は２に係わる発明において、溝蓋の表面に光触媒を付着させることを特徴とする。
請求項４に係わる発明は、請求項１ないし３のいずれかの発明において、排水溝内に殺菌灯からの紫外線が当てられる光触媒機能体が設けられることを特徴とする。
【発明の効果】
【０００８】
請求項１に係わる発明によると、マットにより溝蓋のガタ付きが防止され、ガタ付きによる騒音を防止できること、溝蓋上を通行する車両や人の動きにより圧電素子が電力を発生させ、これにより殺菌灯から紫外線が排水溝内に照射されて排水溝内に繁殖する雑菌や微生物を殺菌でき、腐敗臭等の異臭やかび等の汚れを除去できること、ＬＥＤよりなる殺菌灯は紫外線ランプに比べ、圧電素子からの低電力でも発光でき、電源からの配線を必要としないうえ、ランプのような頻繁な取換えも必要としないこと、人手による排水溝の清掃や薬剤による消毒をなくすか、減らすことができ、また厨房等では薬剤の使用による食品安全上の問題を回避できること、等の効果を奏する。
【０００９】
請求項２に係わる発明によると、殺菌灯表面の汚れを光触媒により取り除くことができると共に、紫外線照射と、光触媒による殺菌作用が相俟って排水溝内での殺菌作用や有機物の分解作用を高めることができる。
【００１０】
請求項３に係わる発明によると、溝蓋の殺菌と共に、有機物の分解作用による溝蓋の汚れを除去することができる。
請求項４に係わる発明によると、紫外線照射と、光触媒による殺菌作用が相俟って排水溝内での殺菌作用や有機物の分解作用を高めることができる。
【発明を実施するための最良の形態】
【００１１】
以下、本発明の実施形態の殺菌装置について図面により説明する。
図１は、排水溝１に装着した溝蓋としてのグレーチング２を示すもので、グレーチング２は既知の構造のもの、例えば鋼製で、主部材２ａとツイストバーよりなる補助部材２ｂを格子状に組合わせたもので、排水溝１の開口部上縁の段部３に押圧圧電素子を組み込んだガタ付き防止材、好ましくは合成樹脂又はゴム製の弾性マット４を介在させてガタ付きのないように装着されている。このマット４は、グレーチング２の側縁に固定したベースプレート５にボルト、ネジ、リベット或いは接着剤や両面粘着テープにより取付けられるか、排水溝１の前記段部３に接着剤や両面粘着テープにより取付けられ、或いはベースプレート５と段部３のいずれにも固定しないで段部３とベースプレート４との間に単に置かれ介装される。
【００１２】
押圧圧電素子は、グレーチング２上を通行する車両や歩行者等により荷重が加えられたときと、その荷重がなくなったときに発電するもので、発生した電気エネルギーは図示しないコンデンサ又はバッテリーに蓄電されるようになっている。
弾性マット４には、排水溝側の側端にＬＥＤよりなる殺菌灯６が図２に示すように排水溝１の長手方向に等間隔で排水溝内に突出して設けられている。この各殺菌灯６は前記コンデンサ又はバッテリーに接続され、該コンデンサ又はバッテリーを電源として紫外線を排水溝内に連続して照射できるようにしている。
【００１３】
図３に示すものでは、前述する殺菌灯６が弾性マット４より斜め下向きに突設され、紫外線が排水溝側壁および底壁に照射されるようにしている。
【００１４】
図４に示す実施形態においては、図５に示すように殺菌灯６を長手方向に一定間隔で取り付けた例えば鋼板、合成樹脂またはゴムよりなる細板８がグレーチング２中央の補助部材２ｂに引掛けられるハンガー９により支持され、圧電素子に接続された図示しないコンデンサ又はバッテリーと殺菌灯６が導線１０にて接続されている。
【００１５】
図６及び図７は、細板に取付けられる殺菌灯の別の例を示すもので、細板１２には、殺菌灯６が下向き、右斜め下向き及び左斜め下向きと順に細板長手方向に取り付けられ、図７に示すように、図示しないコンデンサ又はバッテリーに接続された殺菌灯６から紫外線が排水溝内に万遍なく連続して照射できるようにしている。
【００１６】
前記実施形態の殺菌灯６は、横向き、下向き、或いは斜め下向きに固定されているが、細板８、１２に例えば弾性マット４と導線１０にて接続される球軸受を介して取付けるようにすれば、殺菌灯６を向き調整して任意の向きに向けることができる。
【００１７】
図８に示す実施形態においては、弾性マット４より殺菌灯６が斜め下向きに突設され、グレーチング中央の補助部材２ｂに引掛かって支持されるハンガー１３には、光触媒を全面に付着させたプレート１４が排水溝１の溝底に着床して支持されている。このプレート１４には殺菌灯６から紫外線が照射されるが、殺菌灯６とは別に設けた前記コンデンサ又はバッテリーを電源として発光するライト或いは太陽灯や厨房、食品工場等の照明のライトが当てられることによっても殺菌作用が行われる。
【００１８】
別の実施形態においては、殺菌灯６の表面に光触媒が付着され、更に別の実施形態においては、グレーチング２の表面に光触媒が付着され、殺菌と共に有機物の付着による汚れが除去できるようにされる。
【００１９】
本発明の実施形態の殺菌灯は前述するように、紫外線を照射して殺菌作用や有機物の分解作用を行うが、紫外線のほか可視光線を照射させるようにすれば、夜間での照明機能を持たせることもできる。紫外線を照射するＬＥＤに代えて照明用のＬＥＤを用いてもよい。夜間にコンデンサやバッテリーを電源として照明用のＬＥＤから可視光を発光させることにより次のような効果、例えば
１）車両や歩行者に対する夜間通行時の照明として使用できること
２）グレーチング等の溝蓋や路肩に取り付けて点滅させ、或いは連続して発光させることにより、車両や歩行者が通路を通行する際の視線誘導として利用でき、とくに車両に対する路肩はみ出しや急カーブ等の警告に有効であること
３）ＬＥＤに赤、青、緑、黄、白などの種々の色のＬＥＤを用いることによりイルミネーションとしての機能を持たせることができること
などの効果を生じさせることができる。
【図面の簡単な説明】
【００２０】
【図１】グレーチングを弾性マットを介在させて装着した排水溝の断面図。
【図２】殺菌灯を取り付けた弾性マットを排水溝に取付けた状態を示す平面図。
【図３】殺菌灯を斜め下向きに取付けた弾性マットの断面図。
【図４】殺菌灯を取り付けたプレートをハンガーにより吊持した状態を示す断面図。
【図５】図４に示すプレートの斜視図。
【図６】プレートの別の態様を示す斜視図。
【図７】図６に示すプレートの断面図。
【図８】別の態様の殺菌装置を備えた排水溝の断面図。
【符号の説明】
【００２１】
１・・排水溝
２・・グレーチング
２ａ・・主部材
２ｂ・・補助部材
３・・段部
４・・弾性マット
５・・ベースプレート
６・・殺菌灯
８・・細板
９、１３・・ハンガー
１０・・導線
１２・・細板
１４・・プレート
【図１】
2010095917.tif 000003
【図２】
2010095917.tif 000004
【図３】
2010095917.tif 000005
【図４】
2010095917.tif 000006
【図５】
2010095917.tif 000007
【図６】
2010095917.tif 000008
【図７】
2010095917.tif 000009
【図８】
2010095917.tif 000010